【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  制御権を有している端末からネットワークを介してカメラのパン，チルトのうち少なくとも１つを制御可能とするカメラ制御方法において、
前記カメラから該カメラの現在の撮像領域に関する情報および該カメラの制御権の保有に関する情報を取得する取得工程と、
前記カメラのパン，チルトのうち少なくとも１つが制御されることによって前記カメラが撮像可能となる領域を表示するための撮像可能領域表示工程と、
前記取得工程によって取得された前記カメラの現在の撮像領域に関する情報に基いて、前記撮像可能領域表示工程によって表示される領域上に前記カメラの現在の撮像領域を示す枠を表示する枠表示工程と、
前記取得工程によって取得された前記カメラの制御権に関する情報に基づいて前記撮像可能領域表示工程によって表示される領域上の表示状態を変更する変更工程と、
を有することを特徴とするカメラ制御方法。
【請求項２】  請求項１において、前記変更工程は、前記枠表示工程によって表示される枠の表示状態を変更することを特徴とするカメラ制御方法。
【請求項３】  請求項１または請求項２において、さらに、前記枠表示工程によって表示される枠の位置および大きさをポインティングデバイスを用いて変更することによって前記カメラを操作する操作工程とを有することを特徴とするカメラ制御方法。
【請求項４】  請求項１において、前記変更工程は、前記カメラの制御権を自端末が保有しているかあるいは他端末が保有しているかに応じて前記撮像可能領域表示手段によって表示される領域上の表示状態を変更することを特徴とするカメラ制御方法。
【請求項５】  請求項１において、前記変更工程は、前記カメラの制御権の要求を実行しているか否かに応じて前記撮像可能領域表示手段によって表示される領域上の表示状態を変更することを特徴とするカメラ制御方法。
【請求項６】  請求項１において、前記変更工程は、前記撮像可能領域表示工程によって表示される領域上の色の表示状態を変更することを特徴とするカメラ制御方法。
【請求項７】  請求項１において、前記変更工程は、前記枠表示工程によって表示される枠の形状を変更することを特徴とするカメラ制御方法。
【請求項８】  請求項１において、前記変更工程は、現在前記カメラの制御権を有している端末がそのカメラの制御権を獲得してからの時間の経過に応じて、前記撮像可能領域表示手段によって表示される領域上の表示状態を変更することを特徴とするカメラ制御方法。
【請求項９】  請求項８において、前記変更工程は、現在前記カメラの制御権を有している端末がそのカメラの制御権を獲得してからの時間の経過に応じて、前記枠表示工程によって表示される枠の点滅周期を変更することを特徴とするカメラ制御方法。
【請求項１０】  請求項８において、現在前記カメラの制御権を有している端末がそのカメラの制御権を獲得してからの時間の経過に応じて、前記枠表示工程によって表示される枠の色を変更することを特徴とするカメラ制御方法。
【請求項１１】  制御権を有している場合にネットワークを介してカメラのパン，チルトのうち少なくとも１つを制御するカメラ制御装置において、
前記カメラから該カメラの現在の撮像領域に関する情報および該カメラの制御権の保有に関する情報を取得する取得手段と、
前記カメラのパン，チルトのうち少なくとも１つが制御されることによって前記カメラが撮像可能となる領域を表示するための撮像可能領域表示手段と、
前記取得手段によって取得された前記カメラの現在の撮像領域に関する情報に基いて、前記撮像可能領域表示手段によって表示される領域上に前記カメラの現在の撮像領域を示す枠を表示する枠表示手段と、
前記取得手段によって取得された前記カメラの制御権に関する情報に基づいて前記撮像可能領域表示手段によって表示される領域上の表示状態を変更する変更手段と、
を有することを特徴とするカメラ制御装置。
【請求項１２】  制御権を有している端末からネットワークを介してカメラのパン，チルトのうち少なくとも１つを制御可能とするカメラ制御システムにおいて、
前記カメラから該カメラの現在の撮像領域に関する情報および該カメラの制御権の保有に関する情報を取得する取得手段と、
前記カメラのパン，チルトのうち少なくとも１つが制御されることによって前記カメラが撮像可能となる領域を表示するための撮像可能領域表示手段と、
前記取得手段によって取得された前記カメラの現在の撮像領域に関する情報に基いて、前記撮像可能領域表示手段によって表示される領域上に前記カメラの現在の撮像領域を示す枠を表示する枠表示手段と、
前記取得手段によって取得された前記カメラの制御権に関する情報に基づいて前記撮像可能領域表示手段によって表示される領域上の表示状態を変更する変更手段と、
を有することを特徴とするカメラ制御システム。
【請求項１３】  制御権を有している端末からネットワークを介してカメラのパン，チルトのうち少なくとも１つを制御可能とするカメラ制御プログラムを記憶した記憶媒体であって、
前記カメラのパン，チルトのうち少なくとも１つが制御されることによって前記カメラが撮像可能となる撮像可能領域を表示させ、
前記カメラから通知された前記カメラの現在の撮像領域に関する情報に基いて、前記撮像可能領域上に前記カメラの現在の撮像領域を示す枠を表示させ、
前記カメラから通知された前記カメラの制御権に関する情報に基づいて、前記撮像可能領域上の表示状態を変更させるプログラムを記憶した記憶媒体。
【手続補正２】
【補正対象書類名】明細書
【補正対象項目名】０００７
【補正方法】変更
【補正の内容】
【０００７】
【課題を解決するための手段】
上述した目的を達成するために、本願の請求項１に係る発明によれば、制御権を有している端末からネットワークを介してカメラのパン，チルトのうち少なくとも１つを制御可能とするカメラ制御方法において、前記カメラから該カメラの現在の撮像領域に関する情報および該カメラの制御権の保有に関する情報を取得する取得工程と、前記カメラのパン，チルトのうち少なくとも１つが制御されることによって前記カメラが撮像可能となる領域を表示するための撮像可能領域表示工程と、前記取得工程によって取得された前記カメラの現在の撮像領域に関する情報に基いて、前記撮像可能領域表示工程によって表示される領域上に前記カメラの現在の撮像領域を示す枠を表示する枠表示工程と、前記取得工程によって取得された前記カメラの制御権に関する情報に基づいて前記撮像可能領域表示工程によって表示される領域上の表示状態を変更する変更工程と、を有することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】